(57)【特許請求の範囲】
【請求項１】
食器類を収納し洗浄水を溜める洗浄槽と、前記食器類に洗浄水を噴出する洗浄ポンプと、前記洗浄水を機外へ排出する排水ポンプと、前記洗浄槽を下方から支持する台枠と、前記台枠の底部に取り付けた側壁を有する底板と、前記底板の上方に配設され、前記底板に溜まった水を検知する水位検知部とを備え、前記洗浄ポンプまたは排水ポンプは、その側方に略水平方向に開口させて設けたドレイン口を前記底板の側壁に対向させて配設するとともに、前記ドレイン口を封止する第１のシール部材を有し、前記底板の側壁に前記ドレイン口と対向させて開口部を設け、機内で生じた漏水を前記底板で受けて前記水位検知部で検知できるように、前記開口部を第２のシール部材で封止して機外に漏れ出さないようにした食器洗い機。
【請求項２】
開口部を台枠と底板で形成し、この開口部を第２のシール部材で封止するようにした請求項１記載の食器洗い機。
【請求項３】
洗浄ポンプまたは排水ポンプのドレイン口から、第２のシール部材を通して機外に至る排水経路を備え、前記排水経路の先端を第１のシール部材で封止するようにした請求項１または２記載の食器洗い機。
【発明の詳細な説明】
【０００１】
【発明の属する技術分野】
本発明は、洗浄ポンプより食器に向けて洗浄水を噴射して食器を洗浄する食器洗い機に関するものである。
【０００２】
【従来の技術】
従来、この種の食器洗い機は図６に示すように構成していた。以下、その構成について説明する。
【０００３】
図に示すように、洗浄槽１は、前方に開口部２を有し、この開口部２を扉３により開閉するとともに、内部に洗浄水を噴射する水平ノズル４を回転自在に設けており、洗浄槽１内に食器類５を収納するかご６を配置している。洗浄槽１は台枠７にて支持されている。
【０００４】
洗浄槽１内の洗浄水はヒータ８によって温水化され、洗浄ポンプ９にて排水口１０に備えた残滓フィルター１１から吸い込まれ、水平ノズル４に圧送されて食器類５に向けて噴出し循環することにより洗浄される。洗浄行程が終了すると、洗浄槽１の下部に設けた排水ポンプ１２によって機外に洗浄水が排水される。次に新たに洗浄槽１に水が給水され、洗浄行程と同じような動作を繰り返して、すすぎ行程を複数回終了すると一連の全行程が終わる。
【０００５】
また、台枠７の中央部には底板１３を設けており、機内のシール部などから、万一、水漏れを生じた場合に漏れた水を受けて、フロート式の水位検知部１４で水漏れ異常を利用者に知らせる機能が付いている。
【０００６】
なお、従来の食器洗い機においては、洗浄ポンプ９は吸い込み側１５と吐出側１６を洗浄槽１に対して剛体接続して支持し、排水ポンプ１２は台枠７にて支持し、ホース接続したものが一般的であった。
【０００７】
また、生産工程においては、洗浄槽１内に給水して洗浄ポンプ９を運転して各部の水漏れがないか検査し、出荷時には機内の残水を抜く作業をしており、これらは底板１３を外した状態で、洗浄ポンプ９に設けたドレイン口１７より実施していた。また、食器洗い機の保守点検、サービス時にも同様に、ドレイン口１７より残水処理を行っていた。
【０００８】
【発明が解決しようとする課題】
このような従来の食器洗い機においては、洗浄ポンプ９の運転時には、その振動が洗浄槽１に伝わって振動音を拡大するため、洗浄ポンプ９を洗浄槽１から切り離してホースなどの可撓性を有する部材で接続するものが増えたきた。また、廉価な食器洗い機を提供する目的で、洗浄ポンプと排水ポンプとを一個のモータで正転、逆転して運転し、洗浄槽から切り離した構成のものも提案されている。
【０００９】
しかしながら、洗浄ポンプ９を洗浄槽１から切り離した構成においては、洗浄ポンプ９を底板１３にて支持することになり、底板１３を取り外した状態での残水抜き作業ができないという問題を有していた。
【００１０】
また、寒冷地域においては、機内の残水が凍結して使用できなくなることもあり、利用者が残水を抜く処理をしたいという要望も一部であった。
【００１１】
本発明は上記課題を解決するもので、底板での漏水を受ける構成で、かつ、製造工程並びに市場における保守点検作業時に底板を取り外さないで機内の残水処理ができるようにすることを目的としている。
【００１２】
【課題を解決するための手段】
本発明は上記目的を達成するために、洗浄水を溜める洗浄槽内に食器類を収納し、食器類に洗浄水を噴出する洗浄ポンプまたは洗浄水を機外へ排出する排水ポンプの側方に略水平方向に開口させ、底板の側壁に対向させて設けたドレイン口を第１のシール部材により封止し、底板の側壁にドレイン口と対向させて開口部を設け、この開口部を第２のシール部材で封止して底板で受けた漏水を機外に漏れ出さないようにしたものである。
【００１３】
これにより、製造工程並びに市場における保守点検作業時には、底板を取り付けたままで、第１のシール部材と第２のシール部材をはずすことで、洗浄ポンプまたは排水ポンプに設けたドレイン口から底板の開口部を通して機内の残水処理ができ、また、通常の状態では、底板の開口部は第２のシール部材で封止されるので漏水を受けることができる。
【００１４】
【発明の実施の形態】
本発明の請求項１に記載の発明は、食器類を収納し洗浄水を溜める洗浄槽と、前記食器類に洗浄水を噴出する洗浄ポンプと、前記洗浄水を機外へ排出する排水ポンプと、前記洗浄槽を下方から支持する台枠と、前記台枠の底部に取り付けた側壁を有する底板と、前記底板の上方に配設され、前記底板に溜まった水を検知する水位検知部とを備え、前記洗浄ポンプまたは排水ポンプは、その側方に略水平方向に開口させて設けたドレイン口を前記底板の側壁に対向させて配設するとともに、前記ドレイン口を封止する第１のシール部材を有し、前記底板の側壁に前記ドレイン口と対向させて開口部を設け、機内で生じた漏水を前記底板で受けて前記水位検知部で検知できるように、前記開口部を第２のシール部材で封止して機外に漏れ出さないようにしたものであり、製造工程並びに市場における保守点検作業時に、底板を取り付けたままで、第１のシール部材と第２のシール部材を取り外すことで、洗浄ポンプまたは排水ポンプに設けたドレイン口から底板の開口部を通して機内の残水処理ができ、また、通常の状態では底板の開口部は第２のシール部材で封止するので、底板により漏水を受けることができる。
【００１５】
請求項２に記載の発明は、上記請求項１に記載の発明において、開口部を台枠と底板で形成し、この開口部を第２のシール部材で封止するようにしたものであり、市場における洗浄ポンプなどの保守点検作業において、底板を台枠から取り外す時に、洗浄ポンプのドレイン口部分が底板の開口部に引っかからずに容易に作業できると同時に、ドレイン口を底板の開口部の先端部まで配設することが可能となるので、残水抜き作業時に底板側に残水がこぼれるのを防ぐことができる。
【００１６】
請求項３に記載の発明は、上記請求項１または２に記載の発明において、洗浄ポンプまたは排水ポンプのドレイン口から、第２のシール部材を通して機外に至る排水経路を備え、前記排水経路の先端を第１のシール部材で封止するようにしたものであり、寒冷地などにおいて、機外に配設された排水経路から利用者が容易に機内の残水を抜くことができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、洗浄槽１は、前方に開口部２を有し、この開口部２を扉３により開閉するとともに、内部に洗浄水を噴射する水平ノズル４を回転自在に設けており、洗浄槽１内に食器類５を収納するかご６を配置し、洗浄槽１は台枠７にて支持されている。
【００１９】
洗浄槽１内の洗浄水はヒータ８によって温水化され、洗浄ポンプ１８にて排水口１９に備えた残滓フィルター１１から吸い込まれ、水平ノズル４に圧送されて食器類５に向けて噴出し循環することにより洗浄される。洗浄行程が終了すると排水ポンプ２０によって機外に洗浄水が排水される。次に新たに洗浄槽１に水が給水され、洗浄行程と同じような動作を繰り返してすすぎ行程を複数回終了すると一連の全行程が終わる。
【００２０】
洗浄ポンプ１８と排水ポンプ２０は駆動源を１つのモータ２１とし、正転時に洗浄ポンプとして機能し、逆転時に排水ポンプとして機能するように構成されており、吸い込み口２２（洗浄ポンプと排水ポンプとも吸い込み口は同じ）は排水口１９と吸い込みホース２３で接続され、洗浄ポンプ１８側の吐出口２４は水平ノズル４の回転中心となるノズル軸受け部２５に吐出ホース２６を介して接続され、ポンプ２７全体は底板２８にゴム製の支持台２９を介して支持されている。
【００２１】
排水ポンプ２０の吐出側は吐出口３０とドレイン口３１とに分かれ、吐出口３０に排水ホース３２を接続して機外に洗浄槽１内の水を排水する。ドレイン口３１には第１のシール部材３３を嵌合し封止しており、この延長線上には底板２８に円筒状の開口部３４を設け、第２のシール部材３５にて封止している。
【００２２】
底板２８は水を受けるように皿状の形態をしており、機内のシール部などから、万一、水漏れを生じた場合に漏れた水を受けてフロート式の水位検知部３６で溜まった水を検知し、水漏れ異常を利用者に知らせる機能が付いている。
【００２３】
上記構成において作用を説明すると、生産工程においては、洗浄槽１内に給水して洗浄ポンプ１８を運転して各部の水漏れがないか検査し、出荷時には機内の残水を抜く作業を行う。このとき、第２のシール部材３５を取り外して底板２８の開口部３４を開放状態にしておき、排水ポンプ２０のドレイン口３１の第１のシール部材３３を取り外して、ここから機内の残水を取り除いた後、第１のシール部材３３の取り付け、さらに底板２８の開口部３４へ第２のシール部材３５を取り付ける。
【００２４】
したがって、製造工程並びに市場における保守点検作業時に、底板２８を取り付けたままで、第１のシール部材３３と第２のシール部材３５を取り外すことで、排水ポンプ２０のドレイン口３１から底板２８の開口部３４を通して機内の残水処理ができ、また、通常の状態では底板２８の開口部３４は第２のシール部材３５で封止するので、底板２８により漏水を受けることができる。
【００２５】
（実施例２）
図２および図３に示すように、底板３７の開口部３８は上部が開放され、台枠３９の下部が開放された開口部４０と合わせて略円筒状の開口部４１を形成し、ここに第２のシール部材４２を挿入し封止している。他の構成は上記実施例１と同じである。
【００２６】
上記構成において作用を説明すると、生産工程における残水抜き作業は、上記実施例１と同じであるが、排水ポンプ２０などの保守点検作業時において、底板３７を取り外す場合、排水ポンプ２０のドレイン口３１や第１のシール部材３３が引っかからないでスムーズに作業が行える。また、これはドレイン口３１を開口部４１の先端近傍まで配設できることになるので、残水処理時に底板３７側に水が浸入しにくいことになり、残水作業性を大幅に向上することができる。
【００２７】
（実施例３）
図４に示すように、排水ポンプ２０のドレイン口３１にドレインホース（排水経路）４３を接続し、このドレインホース４３を機外に食器洗い機の本体前方まで延長して配設している。ドレインホース４３は途中底板４４に設けた開口部４５を封止する第２のシール部材４６を貫通し、その先端に第１のシール部材４７を設けている。なお、ドレインホース４３と第２のシール部材４６の貫通穴部４８は第２のシール部材４６により封止されている。他の構成は上記実施例１と同じである。
【００２８】
上記構成において作用を説明すると、ドレインホース４３の第１のシール部材４７を取り外せば、容易に排水ポンプ２０のドレイン口３１を経由して機内の残水を抜くことができる。生産工程は勿論のこと、特に寒冷地などで利用者が自ら機内の残水抜きを行う際には、ドレインホース４３が食器洗い機本体前方まできているので極めて容易に作業をすることができる。
【００２９】
（実施例４）
図５に示すように、排水ポンプ２０のドレイン口４９を下部に向け、排水経路５０を内部に形成した底板５１とドレイン口４９はパッキング５２を介して挿入接続され、底板５１の排水経路５０は食器洗い機本体の前方及び後方に各々第３のシール部材５３、５４を挿入し封止している。他の構成は上記実施例１と同じである。
【００３０】
上記構成において作用を説明すると、底板５１の排水経路５０を封止している第３のシール部材５３または５４を取り外せば、容易に排水ポンプ２０のドレイン口４９を経由して機内の残水を抜くことができる。生産工程は勿論のこと、特に寒冷地などで利用者が自ら機内の残水抜きを行う際にも排水経路５０の出口を複数設けることにより、任意の位置で残水抜き作業が行え、作業性をさらに向上することができる。
【００３１】
【発明の効果】
以上のように本発明の請求項１に記載の発明によれば、食器類を収納し洗浄水を溜める洗浄槽と、前記食器類に洗浄水を噴出する洗浄ポンプと、前記洗浄水を機外へ排出する排水ポンプと、前記洗浄槽を下方から支持する台枠と、前記台枠の底部に取り付けた側壁を有する底板と、前記底板の上方に配設され、前記底板に溜まった水を検知する水位検知部とを備え、前記洗浄ポンプまたは排水ポンプは、その側方に略水平方向に開口させて設けたドレイン口を前記底板の側壁に対向させて配設するとともに、前記ドレイン口を封止する第１のシール部材を有し、前記底板の側壁に前記ドレイン口と対向させて開口部を設け、機内で生じた漏水を前記底板で受けて前記水位検知部で検知できるように、前記開口部を第２のシール部材で封止して機外に漏れ出さないようにしたから、低騒音化を図って洗浄ポンプを洗浄槽と分離し、底板で支持する構成を採用するにあたって、障害となる生産工程や保守点検時における残水抜き作業を底板での漏水検知機能を両立させた形で円滑に実施することができる。
【００３２】
また、請求項２に記載の発明によれば、開口部を台枠と底板で形成し、この開口部を第２のシール部材で封止するようにしたから、市場における洗浄ポンプなどの保守点検作業において、底板を台枠から取り外す時に、洗浄ポンプのドレイン口部分が底板の開口部に引っかからずに容易に作業できると同時に、ドレイン口を底板の開口部の先端部まで配設することが可能となるので、残水抜き作業時に底板側に残水がこぼれるのを防ぐことができる。
【００３３】
また、請求項３に記載の発明によれば、洗浄ポンプまたは排水ポンプのドレイン口から、第２のシール部材を通して機外に至る排水経路を備え、前記排水経路の先端を第１のシール部材で封止するようにしたから、寒冷地などにおいて、機外に配設された排水経路から利用者が容易に機内の残水を抜くことができ、凍結による運転不能などが生じないよう利便性を向上することができる。
【図面の簡単な説明】
【図１】  本発明の第１の実施例の食器洗い機の縦断面図
【図２】  本発明の第２の実施例の食器洗い機の要部縦断面図
【図３】  同食器洗い機の要部分解斜視図
【図４】  本発明の第３の実施例の食器洗い機の要部縦断面図
【図５】  本発明の第４の実施例の食器洗い機の要部縦断面図
【図６】  従来の食器洗い機の縦断面図
【符号の説明】
１  洗浄槽
５  食器類
７  台枠
１８  洗浄ポンプ
２０  排水ポンプ
２８  底板
３１  ドレイン口
３３  第１のシール部材
３４  開口部
３５  第２のシール部材
３６  水位検知部
【図１】
0003849260.tif 000002
【図２】
0003849260.tif 000003
【図３】
0003849260.tif 000004
【図４】
0003849260.tif 000005
【図５】
0003849260.tif 000006
【図６】
0003849260.tif 000007